(57)【要約】  一群のタバコ産業製品用ラッパーが開示されている。本発明のラッパーは、バリアー材（３）と、タブを形成するためにバリアー材に設けられた切り込み線（９）とを含み、タブは引っ張られて切り込み線の端部から裂け目が広がって取り出し開口部（１９）を形成するように配置されている。バリアー材は、前記切り込み線の幅より広く、前記切り込み線の端部から伝搬する裂け目の方向を制御するために前記切り込み線の端部を横断する方向に延びた脆弱化された領域（２０）を含む。
2020505281.tif 000002
【特許請求の範囲】
【請求項１】
バリアー材と、
タブを形成するためにバリアー材に設けられた切り込み線とを含み、タブは引っ張られて、切り込み線の端部から裂け目が広がって取り出し開口部を形成するように配置され、
バリアー材は、前記切り込み線の幅より広く、前記切り込み線の端部から伝搬する裂け目の方向を制御するために前記切り込み線の端部を横断する方向に延びた脆弱化された領域を含む一群のタバコ産業製品用ラッパー。
【請求項２】
脆弱化された領域は、切り込み線の端部から伝搬する裂け目を案内するように構成されていることを特徴とする請求項１記載のラッパー。
【請求項３】
バリアー材は、主要面と、この主要面から折り曲げ線によって隔てられた端面とを含み、切り込み線は、タブを引っ張った際に裂け目が主要面において切り込み線の端部から前記主要面と前記端面との間の前記折り曲げ線の方へと伝搬するように前記主要面に形成されていることを特徴とする請求項１または２記載のラッパー。
【請求項４】
脆弱化された領域は、主要面から折り曲げ線を越えて端部面に延びることを特徴とする請求項３記載のラッパー。
【請求項５】
脆弱化された領域は、前記切り込み線の端部から端面へと離れるように延びたバリアー材にある複数の平行な脆弱化された線を含み、前記脆弱化された線は裂け目を案内する伝搬経路に平行であり、裂け目を案内する伝搬経路は、切り込み線の端部から端面へと延びた最も短い経路として画定されていることを特徴とする請求項３または４記載のラッパー。
【請求項６】
切り込み線は脆弱化された線の間を延びていることを特徴とする請求項５記載のラッパー。
【請求項７】
脆弱化された線は、切り込み線の端部から裂け目を案内する伝搬経路の方向に離れて位置することを特徴とする請求項５記載のラッパー。
【請求項８】
前記平行な脆弱化された線の内の１つは、前記裂け目を案内する伝搬経路に沿って延びていることを特徴とする請求項５乃至７いずれか１項記載のラッパー。
【請求項９】
脆弱化された領域は、切り込み線の端部から裂け目を案内する伝搬経路の方へと伝搬する裂け目を再度案内するように構成されており、裂け目を案内する伝搬経路は、切り込み線の端部から前記主要面と前記端面との間の折り曲げ線へと延びた最も短い経路として画定されていることを特徴とする請求項３または４記載のラッパー。
【請求項１０】
脆弱化された領域は、互いに合流する第１および第２の脆弱化線を含み、前記第１および第２の合流する脆弱化線は、前記裂け目を案内する伝搬経路上で交わることを特徴とする請求項９記載のラッパー。
【請求項１１】
切り込み線の端部は、前記第１および第２の合流する脆弱化線の間を延びていることを特徴とする請求項１０記載のラッパー。
【請求項１２】
第３の脆弱化線が前記裂け目を案内する伝搬経路に沿って前記第１および第２の脆弱化線が交わるところから延びていることを特徴とする請求項１０または１１記載のラッパー。
【請求項１３】
脆弱化された線は、バリアー材の厚みを貫通せずに延びた刻み目線であることを特徴とする請求項５乃至８、請求項１０または１１いずれか１項記載のラッパー。
【請求項１４】
脆弱化された線は、レーザーによって切断された刻み目線であることを特徴とする請求項１３記載のラッパー。
【請求項１５】
刻み目線は、好ましくはバリアー材の厚みを貫通して延びていることを特徴とする請求項１乃至１４いずれか１項記載のラッパー。
【請求項１６】
切り込み線に亘って延びたカバーフラップをバリアー材上に含み、このカバーフラップは、カバーフラップを持ち上げることによりタブを引っ張り、裂け目を切り込み線の端部から伝搬するようにバリアー材に接着されていることを特徴とする請求項３乃至１５いずれか１項記載のラッパー。
【請求項１７】
切り込み線を越えて延びたカバーフラップの少なくとも周辺領域は、引き剥がし可能な粘着剤によってバリアー材に接着されていることを特徴とする請求項１６記載のラッパー。
【請求項１８】
カバーフラップはバリアー材の外面に接着され、前記脆弱化された領域はこの外面に形成されていることを特徴とする請求項１６または１７記載のラッパー。
【請求項１９】
カバーフラップはバリアー材の外面に接着され、脆弱化された領域は内面に形成されていることを特徴とする請求項１６または１７記載のラッパー。
【請求項２０】
一群のタバコ産業製品に巻かれた請求項１乃至１９いずれか１項記載のラッパーを含む束。
【請求項２１】
請求項２０記載の束と基部および底部にヒンジ式に取り付けられる蓋を有し、束が基部に収容される容器とを含むタバコ産業製品パック。
【発明の詳細な説明】
【技術分野】
【０００１】
本発明は一群のタバコ産業製品用ラッパー、特に紙巻きタバコなどの喫煙品を梱包するためのラッパーに関するが、これに限定されない。また本発明は、本発明によるラッパーを含む束およびその束を含むタバコ産業製品パックに関する。
【背景技術】
【０００２】
紙巻きタバコパッケージは、紙巻きタバコの包装された束に設けられた再封止可能ラベルを有することが知られている。ラベルを引っ張ることで束から紙巻きタバコを取り出すための取り出し開口部を露出させる。このラベルは粘着剤の領域を含み、これは最初に開封した後、取り出し開口部を閉じるために元の位置に戻すことができる。
【発明の概要】
【発明が解決しようとする課題】
【０００３】
本発明のいくつかの実施態様では一群のタバコ産業製品用ラッパーが提供され、これは、
バリアー材と、
タブを形成するためにバリアー材に設けられた切り込み線とを含み、タブは引っ張られて、切り込み線の端部から裂け目が広がって取り出し開口部を形成するように配置され、
バリアー材は、前記切り込み線の幅より広く、前記切り込み線の端部から伝搬する裂け目の方向を制御するために前記切り込み線の端部を横断する方向に延びた脆弱化された領域を含む。
【０００４】
脆弱化された領域は、好ましくは切り込み線の端部から伝搬する裂け目を案内するように構成されている。
【０００５】
バリアー材は、主要面と、この主要面から折り曲げ線によって隔てられた端面とを含んでもよい。切り込み線は、タブを引っ張った際に裂け目が主要面において切り込み線の端部から前記主要面と前記端面との間の前記折り曲げ線の方へと伝搬するように前記主要面に形成してもよい。
【０００６】
脆弱化された領域は、主要面から折り曲げ線を越えて端部面に延びるのが好ましい。
【０００７】
脆弱化された領域は、前記切り込み線の端部から端面へと離れるように延びたバリアー材にある複数の平行な脆弱化された線を含んでもよく、前記脆弱化された線は裂け目を案内する伝搬経路に平行であり、裂け目を案内する伝搬経路は、切り込み線の端部から端面へと延びた最も短い経路として画定されている。
【０００８】
切り込み線は脆弱化された線の間を延びてもよい。
【０００９】
別の実施態様では脆弱化された線は、切り込み線の端部から裂け目を案内する伝搬経路の方向に離れて位置してもよい。
【００１０】
平行な脆弱化された線を採用するあらゆる実施態様では前記平行な脆弱化された線の内の１つは、前記裂け目を案内する伝搬経路に沿って延びてもよい。
【００１１】
別の実施態様では脆弱化された領域は、切り込み線の端部から裂け目を案内する伝搬経路の方へと伝搬する裂け目を再度案内するように構成されている。
【００１２】
この実施態様では脆弱化された領域は、互いに合流する第１および第２の脆弱化線を含んでもよく、前記第１および第２の合流する脆弱化線は、前記裂け目を案内する伝搬経路上で交わる。
【００１３】
一部の実施態様では切り込み線の端部は、前記第１および第２の合流する脆弱化線の間を延びている。
【００１４】
第３の脆弱化線が前記裂け目を案内する伝搬経路に沿って前記第１および第２の脆弱化線が交わるところから延びているのが好ましい。
【００１５】
好ましい実施態様では脆弱化された線は、バリアー材の厚みを貫通せずに延びた刻み目線である。最も好ましくは脆弱化された線は、レーザーによって切断された刻み目線である。
【００１６】
刻み目線は、好ましくはバリアー材の厚みを貫通して延びている。
【００１７】
好ましい実施態様では切り込み線に亘って延びたカバーフラプラグがバリアー材上にあり、このカバーフラップは、カバーフラップを持ち上げることによりタブを引っ張り、裂け目を切り込み線の端部から伝搬するようにバリアー材に接着されている。
【００１８】
好ましくは切り込み線を越えて延びたカバーフラップの少なくとも周辺領域は、引き剥がし可能な粘着剤によってバリアー材に接着されている。
【００１９】
カバーフラップはバリアー材の脆弱化された領域が形成されている外面に接着してもよい。これとは別に脆弱化された領域は、内面、即ち喫煙品の方に向いたバリアー材の表面に形成してもよい。
【００２０】
本発明の別の態様では、一群のタバコ産業製品に巻かれた本発明のラッパーを含む束が提供される。
【００２１】
本発明の別の態様では、本発明の束と基部および底部にヒンジ式に取り付けられる蓋を有し、束が基部に収容される容器とを含むタバコ産業製品パックが提供される。
【図面の簡単な説明】
【００２２】
本発明の実施態様を添付図面を参照し、あくまで例示として以下に説明する。
【図１】ラベルが閉じた位置にあるタバコ産業製品の包装された束の斜視図である。
【図２】接着ラベルが開いた位置にある図１の包装された束の斜視図である。
【図３Ａ】本発明の第１の実施態様による図１および２のバリアー材に形成された刻み目線を脆弱化された領域と共に示す。
【図３Ｂ】図３Ａに示した第１の実施態様の変形版を示す。
【図３Ｃ】包装された束の主要面の刻み目線の端部の下を脆弱化された領域が延びている図３Ａの変形実施態様を示す。
【図３Ｄ】脆弱化された領域が刻み目線の端部の下を延び、裂け目を案内する伝搬経路にある刻み目線が刻み目線の端部から延びている図３Ｂの変形実施態様を示す。
【図４】図１および２のバリアー層に形成された切り込み線を本発明の第２の実施態様による脆弱化された領域と共に示す。
【図５】タバコ産業製品の包装された束用の内方フレームを示す。
【図６】本発明の実施態様によるタバコ産業製品の包装された束の製造方法を示す略図である。
【図７】フィンシールを有する本発明の実施態様によるタバコ産業製品の包装された束を示す。
【図８】本発明の実施態様によるタバコ産業製品の包装された束の別の製造方法を示す略図である。
【図９】上記いずれかの図のタバコ産業製品の包装された束を含むパックを示す。
【図１０】バリアー材の一部が蓋に取り付けられた本発明の実施態様によるタバコ産業製品の包装された束を含むパックの第１の例を示す。
【図１１】バリアー材の一部が蓋に取り付けられた本発明の実施態様によるタバコ産業製品の包装された束を含むパックの第２の例を示す。
【発明を実施するための形態】
【００２３】
図１は、例えば喫煙品などのタバコ産業製品の包装された束１を示す。この例ではタバコ産業製品は紙巻きタバコ２である。
【００２４】
包装された束１は、一群の紙巻きタバコ２、例えば図示のように２０本の紙巻きタバコを包む柔軟で引き裂き可能なバリアー材３を含む。包装された束１の全体形状が実質的に直方体または平行６面体形状になるように紙巻きタバコ２は配列される。
【００２５】
バリアー材３は、主要面４と、背面５と、対向する側面６、７と、上端面８とを含む。添付図面に示す包装された束１は、方形の縁部を有するが、当然のことながら縁部は丸められても面取りされてもよい。
【００２６】
図１に示すように主要面４には開始切断部９が設けられている。主要面４は、「Ｕ」字状に少なくとも部分的に切れ込みが入れられている。開始切断部９は、対向する側面６、７の間の方向に主要面を横断して延びた第１または中央切り込み線１０と、バリアー材３の上端面８の方へと延びる長手方向に第１切り込み線１０の両端から短い距離を延びる第２および第３切り込み線１１、１２とを含む。開始切断部９は、第１、第２および第３切断部１０、１１、１２によって形成されたタブ１３を画定する。
【００２７】
開始切断部９は他の形状であってもよい。例えば、開始切断部９は湾曲形状を含んでもよく、あるいは湾曲形状によって形成されてもよい。
【００２８】
接着ラベル１４がバリアー層３に接着され、開始切断部９を覆い、密封するようになっている。
【００２９】
図１に示す接着ラベル１４は、バリアー材３の主要面からバリアー材の先端縁１５を越えて上端面８上に延びている。また接着ラベル１４は、図１に示すように後端縁１６を越えてバリアー材３の背面５上に延びてもよい。
【００３０】
また図１に示すように接着ラベル１４は、プルタブ１７を含む。ユーザーがプルタブ１７を主要面４から離れる方向に引っ張ると、接着ラベル１４が前面４を引き剥がし、開始切断部９によって形成されたタブ１３をたぐり寄せる。
【００３１】
プルタブ１７を引っ張ることに応じてタブ１３が引っ張られると、裂け目が第２および第３切断部１１、１２それぞれの端部１１ａ、１２ａから始まって、主要面４のバリアー材３を通って伝搬する。理想的には裂け目は、第２および第３切断部の直線状の延長部である裂け目を案内する伝搬経路１８に沿ってバリアー材の上端面８の方へと伝搬する。裂け目を案内する伝搬経路１８は、第２および第３切断部それぞれの端部１１ａ、１２ａと主要面４と上端面８との間の先端縁１５との間の主要面４における最短ルートを表す。特に力がプルタブ１７に加えられると、裂け目はバリアー材３の主要面４で伝搬し、先端縁１５を越えて端面８を横断して伝搬する。先端縁１５は主要面４と端面８の間の折り曲げ線によって形成されている。
【００３２】
接着ラベル１４の構成および範囲並びにユーザーがプルタブ１７を引っ張る度合いに応じて、裂け目は端面８のある１つのポイント、後端縁１６、または後端縁１６を越えて包装された束１の背面５へと伝搬してもよい。
【００３３】
上述のように接着ラベル１４に引張り力を加え、その後バリアー材３を裂くことで図２に示すように取り出し開口部１９が形成される。取り出し開口部１９は、主要面４から先端縁１５を越えてバリアー材３の端面９内に延びている。接着ラベル１４が図２に示す位置にあるとき、紙巻きタバコ２は包装された束１から取り出し開口部１９を介して取り出すことができる。
【００３４】
別の実施態様では開始切断部９は、上述のような完全な切断部ではなく、脆弱化された線を含む。このようにするとプルタブ１７に引張り力を加えることで脆弱化された線が裂かれ、開始切断部を形成し、ここからバリアー材３が取り出し開口部１９を形成するために破れる。
【００３５】
前述の通り主要面４の裂け目を案内する伝搬経路１８は、基本的には第２および第３切り込み線１１、１２の各端部１１ａ、１２ａから先端縁１５へと上端面８へと向かう長手方向に延びた最短の直線状経路である。しかしながら、引張り力がタブ１７に加えられる方向の僅かな違いに応じて、第２および第３切り込み線１１、１２の各端部１１ａ、１２ａから裂け目を案内する伝搬経路１８と正確に対応または合致しない裂け目伝搬経路に沿って伝搬するように裂け目は始まってもよい。
【００３６】
本発明の実施態様では開始切断部９の第２および第３切り込み線１１、１２の各端部１１ａ、１２ａから伝搬する裂け目の方向を制御するためにバリアー材３には図１および２に輪郭だけで表されている脆弱化された領域２０が設けられており、これは主要面４の切り込み線１１、１２の端部１１ａ、１２ａを横断する方向に延び、裂け目を案内する伝搬経路１８から離れるように伝搬する裂け目を伝搬経路１８に戻るように第２および第３切り込み線１１、１２の各端部１１ａ、１２ａから裂け目が伝搬する方向を制御する役割を果たす。これとは別に脆弱化された領域２０は、裂け目が裂け目を案内する伝搬経路１８から離れるように逸れるのを妨げるようにしてもよい。
【００３７】
脆弱化された領域２０は、それが裂け目を案内する伝搬経路１８を跨ぐ、即ちバリアー層の主要面４を対向する側面６、７の間の方向においてバリアー材３の主要面４を横断する横方向に横断して延びるように横方向に延びている。各脆弱化された領域２０の幅は、第２および第３切り込み線１１、１２それぞれの幅より広い。特に対向する側面６、７の間を延びる方向における脆弱化された領域２０の全幅は、タブ１７を引っ張った結果として第２および第３切り込み線１１、１２の端部１１ａ、１２ａから伝搬した裂け目が裂け目を案内する伝搬経路１８に沿って伝搬しない場合であってもその裂け目が常に脆弱化された領域２０と確実に接触し、それによって案内されるために少なくとも充分な幅である。
【００３８】
別の脆弱化された領域２０が図１および２に示すように第２および第３切り込み線それぞれの端部１１ａ、１２ａを横断して延びている。しかしながら、単独の脆弱化された領域２０がバリアー層の主要面４に亘ってそして第２および第３切り込み線１１、１２両方の端部１１ａ、１２ａを横断して延びることも想定される。
【００３９】
脆弱化された領域２０は、裂け目が形成され始めた後、第２および第３切り込み線１１、１２の各端部から伝搬する裂け目が脆弱化された領域２０と接するまたは交差するように第２および第３切り込み線１１、１２の各端部１１ａ、１２ａから離れている。しかしながら、一部の実施態様では脆弱化された領域２０は、裂け目が形成され始めたらすぐに裂け目が第２および第３切り込み線の各端部から伝搬する方向が脆弱化された領域２０によって直接的に影響され、制御されるように配置してもよい。例えば、脆弱化された領域２０は、切り込み線１１、１２の端部１１ａ、１２ａに亘ってまたはこれら端部の下に延びてもよく、脆弱化された領域は切り込み線１１、１２の端部１１ａ、１２ａから直接延びてもよい。
【００４０】
図１および２に示すように脆弱化された領域２０は、バリアー層の主要面４から先端縁１５を越えて上端面８を横断して後端縁１６へと延びてもよい。しかしながら、脆弱化された領域２０は、上端面８の一部だけを横断して延びてもよく、または先端縁１５に到達する前に主要面４で終了してもよい。脆弱化された領域２０は、裂け目が脆弱化された領域２０によってその全長に亘って案内されるように延びるのが好ましい。
【００４１】
好ましい実施態様ではバリアー層にはその内方面、即ちその喫煙品に向いた面に脆弱化された領域２０が設けられている。しかしながら、脆弱化された領域２０を接着ラベル１４に向いた外面に形成することも可能である。
【００４２】
図３Ａは本発明の実施態様による切り込み線９および脆弱化された領域の一部を詳しく示している。特に脆弱化された領域２０は、一連の間隔が空けられた平行な刻み目線２１をバリアー材に含み、それぞれが裂け目を案内する伝搬経路１８に平行に延びていて、切り込み線１１、１２の端部１１ａ、１２ａから伝搬する裂け目が２本の刻み目線の間を延びる裂け目を案内する伝搬経路１８から逸れた場合にその刻み目線２１の内の１本と交差するようになっている。各刻み目線２１がバリアー材３の主要面４においての脆弱化を示しているので、各刻み目線は、タブ１３をさらにたぐり寄せることによって伝搬する裂け目と交わった刻み目線２１に沿って裂け目が伝搬するように最も抵抗の少ない経路を形成している。従って、裂け目のさらなる伝搬は、刻み目線２１によって案内され、刻み目線２１は裂け目を案内する伝搬経路１８と平行であるので裂け目を案内する伝搬経路１８からさらに逸れないようになっている。
【００４３】
図３Ｂに示すような別の実施態様では刻み目線２１の内の１本が裂け目を案内する伝搬経路１８に対応し、これと位置合わせされてもよく、これにより裂け目が最初に第２および第３切り込み線１１、１２の端部１１ａ、１２ａから裂け目を案内する伝搬経路１８に沿って伝搬する場合にその裂け目が裂け目を案内する伝搬経路１８と位置合わせされた刻み目線２１によって案内され、裂け目が裂け目を案内する伝搬経路１８から逸れるのを妨げられる。刻み目線２１が伝搬経路と位置合わせされることにより裂け目を案内する伝搬経路１８に沿って裂けやすくなる。
【００４４】
図３Ｃに示す図３Ａの変形実施態様では刻み目線２１は、切り込み線１１、１２の端部１１ａ、１２ａより下に延びていて、刻み目線２１と切り込み線１１、１２がバリアー材の面を横断する方向に重なっている。同様に図３Ｄは、図３Ｂの変形実施態様を示し、この実施態様では刻み目線２１が切り込み線１１、１２の端部１１ａ、１２ａより下に延びていて、裂け目を案内する伝搬経路１８上にある１つの刻み線が切り込み線１１、１２の端部１１ａ、１２ａから直接延びている。いずれの実施態様において当然のことながら刻み目線は、切り込み線１１、１２の端部１１ａ、１２ａと重なるのではなく、切り込み線の端部１１ａ、１２ａと位置合わせさせてもよい。
【００４５】
図４に示す別の実施態様では脆弱化された領域２０は、バリアー材３の主要面４において逆Ｙ字形のパターンを共に形成する複数の刻み目線を含む。より具体的には脆弱化された領域２０は、脆弱化された領域２０を互いの方へと横断し、端面９の方へと切り込み線１１、１２から離れる方向に先細りしている第１の刻み目線２２および第２の刻み目線２３を含む。第１および第２の刻み目線２２、２３は、裂け目を案内する伝搬経路１８で交わる。第３の弱化された線２４が、第２および第３切り込み線１１、１２から端面９の方へと離れる方向で第１および第２の刻み目線２２、２３が裂け目を案内する伝搬経路１８で交わるポイントから延びている。前述の実施態様と同じように第１および第２の刻み目線２２、２３の端部２２ａ、２３ａは、裂け目を案内する伝搬経路１８の方向に切り込み線９の端部１１ａ、１２ａから間隔が空けられてもよい。これとは別に端部２２ａ、２３ａは、端部１１ａ、１２ａと位置合わせされてもよく、あるいはバリアー材の面を横断して延びる方向に重なるそれらの下を延びてもよい。
【００４６】
当然のことながら第１および第２の刻み目線２２、２３によって供される脆弱化された領域は、切り込み線の幅より広い幅を有する、即ち刻み線２２、２３の端部２２ａ、２３ａ間の距離は、切り込み線１１、１２の幅よりはるかに長い。合流する刻み目線の口は切り込み線１１、１２の端部１１ａ、１２ａに向いた方向に開いているので、刻み目線は切り込み線の端部を横断して延び、裂け目が裂け目を案内する伝搬経路１８のラインをなぞらなくても切り込み線１１、１２の端部１１ａ、１２ａから伝搬する裂け目の方向を制御する。
【００４７】
裂け目が第２および第３切り込み線１１、１２から裂け目を案内する伝搬経路１８に沿った以外の方向に伝搬する場合、その裂け目は第１および第２刻み目線２２、２３の内の１つと交差する。タブ１３を引っ張り続けると、裂け目は最も抵抗の少ない経路を形成している交わった刻み目線２２、２３によって裂け目を案内する伝搬経路１８に向かう方向に裂け目が裂け目を案内する伝搬経路の第１および第２刻み目線２２、２３が互いに合わさるポイントに到達するまで案内される。裂け目がこのポイントに到達すると、さらにタブ１３を引っ張ることによって裂け目は、裂け目を案内する伝搬経路１８に沿って裂け目がたどる際に最も抵抗の少ないさらなる経路を形成している第３の刻み目線２４によって伝搬する。従って、この実施態様は、裂け目を案内する伝搬経路１８から離れるように逸れる裂け目を裂け目を案内する伝搬経路１８に戻る方向に案内し、次に裂け目を案内する伝搬経路１８に沿って裂け目を案内するという利点を有する。
【００４８】
変形実施態様では第１および第２の刻み目線２２、２３が裂け目を案内する伝搬経路１８で交わるポイントに裂け目が案内されるように第３の刻み目線２４を省略してもよい。その後裂け目は、タブ１３がさらに引っ張られると、さらなる案内無しにこのポイントを越えて伝搬し続ける。
【００４９】
当然のことながら上述の実施態様では開始切断部９は、バリアー材３の主要面４を貫通する切り込みであるのが好ましい。しかしながら、それは開始切断部９に沿ってバリアー材に刻みをつけるまたはバリアーを材を貫通しないように切り込みを入れることによって形成された脆弱化された線であってもよい。
【００５０】
接着ラベル１４は、粘着剤でバリアー材３に少なくとも部分的に接着されてもよい。特に図１および図２に示すように接着ラベル１４の縁部は、開始切断部９の切り込み線１０、１１、１２からずれており、従って包装された束１を最初に開封した後、バリアー材３の取り出し開口部１９の縁部からずれる。
【００５１】
従って、ラベル１４は取り出し開口部１９を囲む重なり領域２６を含む。接着ラベル１４のこの重なり領域２６に粘着剤をコーティングして、接着ラベル１４を取り出し開口部１９上に繰り返し配置できるようにして粘着剤がバリアー材３に繰り返し接着され、接着ラベル１４を取り出し開口部１９上の所定の位置に保持するようにしてもよい。
【００５２】
接着ラベル１４の下側の面は、全体的に粘着剤が塗布されてもよく、または重なり領域２６の粘着剤に加えて下側の面のいくつかの領域を永久接着剤でコーティングしてもよく、あるいは接着剤をコーティングしなくてもよい。
【００５３】
取り出し開口部１９を形成するためにバリアー材３の残りから分離されたバリアー材３の裂かれたセクション２７は、図２に示すように接着ラベル１４に張り付いたままである。
【００５４】
裂かれたセクション２７は、粘着剤によってまたは裂かれたセクション２７と接着ラベル１４の間に塗布された永久接着剤からなる領域によって接着ラベル１４に取り付けられてもよい。裂かれたセクション２７が粘着剤によって接着ラベル１４に取り付けられる場合、粘着剤はその裂かれたセクション２７の領域における塗布量を増加して裂かれたセクション２７が使用中に接着ラベル１４から外れないようにしてもよい。裂かれたセクション２７にラベル１４を接着する接着剤の強度は、バリアー層３が裂けるような強度である。接着ラベル１４から裂かれたセクション２７が分離しないようになっている。
【００５５】
従って、接着ラベル１４およびバリアー材３の裂かれたセクション２７は、最初に開けた後取り出し開口部１９を閉じるための繰り返し使用可能なカバーフラップ２８を形成する。接着ラベル１４の重なり領域２６上の粘着剤は、カバーフラップ２８およびバリアー材３を繰り返し貼り付けるために使用される。
【００５６】
別の実施態様では接着ラベル１４にはカバーフラップ２８が取り出し開口部１９上に再度配置されるが、接着ラベル１４はバリアー材３に再度接着されないように重なり領域２６に１回のみ使用される接着剤が塗布されている。
【００５７】
接着ラベル１４の一部は、カバーフラップ２８が包装された束１に留まり、完全に取り外せないように永久的にバリアー材３に接着してもよい。他の実施態様ではカバーフラップ２８は、接着ラベル１４の全体に亘って１回のみ使用される接着剤を使用することによってまたは接着ラベル１４を貫通する切り取り線を設けることによって包装された束１から完全に取り外せるようにしてもよい。
【００５８】
開始切断部９、前面５、端面９および背面５を覆う接着ラベル１４との組み合わせにおいて包装された束１は、プルタブ１７を引っ張って最初に開ける前は密閉状態で封止されている。
【００５９】
図５は紙巻きタバコ２（図２参照）を保持し、図１および２に示した包装された束１を形成するためにバリアー材３によって包まれる内方フレーム３０を示している。言い換えれば図示の内方フレーム３０は、紙巻きタバコ２とバリアー材３の間に位置してもよい。
【００６０】
内方フレーム３０は、内方フレーム３０がバリアー材３に包まれると、包装された束１の前面４、背面５、対向する側面６、７および端面８、９に対応する前壁３１、後壁３２、対向する側壁３３、３４、底壁３５および上壁３６を含む。また内方フレーム３０は、図２に示すように包装された束１を最初に開封した後、上述の取り出し開口部１９と位置合わせされる端部壁３６および前壁３１に形成された開口部３７を含む。
【００６１】
この例では内方フレーム３０の開口部３７は、内方フレーム３０の上壁３６および前壁３１を部分的に横断して延びている。従って、取り出し開口部１９が形成されると、それは内方フレーム３０の開口部３７と位置合わせされる。
【００６２】
内方フレーム３０はさらに強度を付与し、紙巻きタバコ１９を支持する。さらに包装された束１の内圧が減少させる、例えば分圧にすると、内方フレーム３０は、包装された束１の外側に作用する大気圧からなる粉砕力から紙巻きタバコ２を保護するのに役立つ。
【００６３】
一部の例では内方フレーム３０の開口部３７は、接着ラベル１７を引っ張ることによってバリアー材３に取り出し開口部１９を形成した後、開口部３７の少なくともいくつかの縁部が開口部１９内に位置するようなサイズであり、位置にある。
【００６４】
バリアー材３の破断していない部分は、好ましくはポリプロピレンなどのポリマーを含む。この場合ポリマー材の繊維は、配向され、バリアー材３は繊維が所望の裂け目線の方向に沿って配向されるように配置される。従って、ポリマー材料は、接着ラベル１４が引っ張られて取り出し開口部１９を形成する際により簡単且つよりきれいに裂ける。そしてそのようにしないとポリマーは、それが裂かれる際に伸び、変形してしまい、不均一な縁部を有する取り出し開口部１９が残り、接着ラベル１４がそのような縁部を簡単に封止できなくなってしまう。
【００６５】
バリアー材３は機械的手段、例えば所定のブレード深度を有するロータリーカッターによって切断または脆弱化してもよい。これとは別にバリアー材３は、レーザーがバリアー材３の層の必要な部分だけに切れ込みを入れるように予め選択された出力および／または波長のレーザーを使用して切断してもよい。
【００６６】
バリアー材３は、ポリマー（例えば、ポリプロピレン）、金属箔、金属化されたフィルム（例えば、金属化されたポリマー）または梱包に適したあらゆる他の可撓性材料を含んでもよい。
【００６７】
好ましい例ではバリアー材３は、配向ポリプロピレンからなる外層と、金属箔、例えばアルミニウム箔からなる中間層とを有する３層ラミネートを含む。
【００６８】
後述のように包装された束１を形成するためにバリアー材３は、一群の紙巻きタバコ１９に巻かれ、これを封止するように閉じられる。紙巻きタバコ１９は、最初に紙巻きタバコ１９を支持し、保護するための内方フレーム３０内に入れられ、その後バリアー材３で内方フレーム３０および一群の紙巻きタバコ１９を包んでもよい。
【００６９】
１つの例ではバリアー材３の縁部は、包装された束１の内容物、例えば内方フレーム３０の側面に対して折り曲げられ、例えば接着剤、熱シールまたは超音波溶接などを使用して互いに対して封印されて重なり合うフラップを形成する。
【００７０】
図６に示す別の例ではバリアー材３は、内方フレーム３０の周囲で折り曲げられてもよく、そしてバリアー材３の端部はフィンシールされてもよい。
【００７１】
特に紙巻きタバコ１９は、例えば一群の紙巻きタバコ１９の周囲で内方フレーム３０を折り曲げることによって内方フレーム３０内に入れることができ、次にバリアー材３を図示のように内方フレーム３０の周囲で包むことができる。
【００７２】
最初にバリアー材３の縁部を互いにフィンシールして第１フィンシール４５を形成し、これはバリアー材３が内方フレーム３０の周囲で管状になることを意味する。次に管状バリアー材３の端部もフィンシールして図６に示すような第２および第３フィンシール４６、４７を形成する。この例では図７に示すフィンシールされた束１は、包装された束１の背面５を横断して延びた第１フィンシール４５および包装された束１の対向する側面６、７に沿って延びた第２および第３フィンシール４６、４７を有する。
【００７３】
図８に略式に示す別の例では第１フィンシール４５は、接着ラベル１４を有する端面９とは反対の包装された束１の端面８を横断して形成されてもよい。次に第２および第３フィンシール４６、４７を包装された束１の対向する側面６、７に沿って形成してもよい。
【００７４】
別の例では第１フィンシール４５は、接着ラベル１４の下で包装された束１の前面４を横断して形成してもよい。
【００７５】
図７に示すようにフィンシール４５、４６、４７は、包装された束１の面に対して平らになるように折り曲げることができる。
【００７６】
フィンシールは、バリアー材３のいくつかの部分を一緒にプレスし、バリアー材３のこれらの部分を接合するために熱を加えるおよび／または接着剤を塗布することによって形成することができる。熱がバリアー材３の成分を溶融させおよび／または融合させる。
【００７７】
上述のようにフィンシールされた束１は、圧力差を保持することができる強い気密封止を供することを特徴とする。例えば、包装された束の内部は、大気圧を超えるまたはそれ以下の圧力にされる。
【００７８】
包装された束１内の圧力は、最終的に密封する前に包装された束１の内部に空気またはなんらかの他の気体、または液体を加えることによって上昇させることができる。包装された束１の内部は、最終的に密封する前に空気を取り出すことによって、例えば、図６または図８を参照して説明した包装および密封工程を低圧環境で実行することによって減圧、例えば不完全真空にすることができる。
【００７９】
これとは別に包装された束１には１つの方向のみに空気を流れるようにし、他の方向には流れないようにする一方向バルブを設けてもよい。包装された束１のバルブには包装された束１から空気を出し入れするための高圧源または低圧源を設けることができる。
【００８０】
これとは別に包装された束の内部１には空気以外の気体、例えば不活性ガスを入れてもよい。さらに液体などの他の物質をパッケージの内部に添加し、例えば包装された束１内の圧力を増加させるために包装された束１内に蒸発させてもよい。
【００８１】
図９および１０に示すように図１〜８を参照して説明した種々の例の包装された束１は、紙巻きタバコのパッケージを供するためにヒンジ式蓋付き容器４８内に収容されてもよい。
【００８２】
これとは別に包装された束１は、それ自体をパッケージとして任意のさらなる外方パッケージまたは蓋無しで提供してもよい。
【００８３】
図９に示すようにヒンジ式蓋付きパック４８は、平行６面体形状の基部４９を有し、これは基部４９から包装された束１が突出するように包装された束１を収容するようになっている。この位置で接着ラベル１４、特にプルタブ１７に触れることができ、包装された束１を開封し、その中の紙巻きタバコに触れることができるようになっている。
【００８４】
蓋５０がヒンジ５１の周囲に基部４９にヒンジ式に接続されている。蓋５０は、蓋５０が包装された束１を覆う閉じた位置と包装された束１が露出する開いた位置の間で枢動可能である。図９はユーザーが接着ラベル１４のプルタブ１７をつかむことができ、引っ張ってバリアー材３を裂いて取り出し開口部を形成するように開いた位置にある蓋５０を示している。
【００８５】
図１０および１１に示すさらなる実施態様ではプルタブ１７などの接着ラベル１４の一部は、蓋５０が開かれて取り出し開口部を供する際に接着ラベル１４が持ち上がり、蓋５０が閉じられて取り出し開口部を覆う際に下降するように蓋５０の内側の面５２に取り付けられる。
【００８６】
タブ１７の外側の面は、図１０に示すように蓋前壁５３の内側の面５２に直接貼り付けてもよい。これとは別にタブ１７は、折り返されて、その後図１１に示すように蓋前壁５３の内側の面５２に貼り付けられてもよい。
【００８７】
図１０および図１１の実施態様において蓋５０にプルタブ１７を貼り付けることは、蓋５０を最初に開封する際に接着ラベル１４が均一かつ滑らかに引っ張られて、バリアー材３の裂け目を制御することに役立つという利点を有する。
【００８８】
包装された束１に喫煙品２とバリアー材の間に位置する内方フレーム５５設けて、包装された束１にさらに剛性を付与し、接着ラベル１４が取り出し開口部に亘って下方に押し戻されるようにする反応面を供する。
【００８９】
本明細書中で使用する「粘着剤」なる用語は、複数回繰り返し使用できる接着剤を意味する。即ち、接着剤は、２つの部材が繰り返し剥がせ、そして貼り付けられる永久的な粘着性を有する。
【００９０】
本明細書中で使用する「永久接着剤」なる用語は、２つの部材を互いに強固に接着し、通常の使用では分離しないようにするための接着剤を意味する。
【００９１】
本明細書中で使用する「タバコ産業製品」なる用語は、紙巻きタバコ、シガリロ、シガー、パイプ用または手巻き紙巻きタバコ用タバコ（タバコ、タバコ派生物、膨張タバコ、再生タバコ、タバコ代替え品または他の喫煙材をベースにしているかに関係なく）などの燃焼性喫煙品、電子タバコなどの電子喫煙品、タバコ加熱製品などの燃焼させずに基材から化合物を放出する加熱装置および例えば液体または固体基材を含むハイブリッドシステムのような基材を組あわせたものからエアロゾルを発生させるハイブリッドシステムを含む喫煙品を包含すると理解されるべきである。
【００９２】
１つの実施態様ではタバコ産業製品は紙巻きタバコ、シガリロおよびシガーからなる群から選択される燃焼喫煙品である。
【００９３】
１つの実施態様ではタバコ産業製品は非燃焼性喫煙品である。
【００９４】
１つの実施態様ではタバコ産業製品は基材を燃やさずに加熱することによって化合物を放出する加熱装置である。基材は、タバコまたはニコチンを含むまたは含まない非タバコ製品であってもよい。１つの実施態様では加熱装置はタバコ加熱装置である。
【００９５】
別の実施態様では タバコ産業製品は基材を組あわせたものを燃やさずに加熱することによってエアロゾル発生させるハイブリッドシステムである。基材は、例えば固体、液体またはゲルを含んでもよく、これらはニコチンを含んでも含まなくてもよい。１つの実施態様ではハイブリッドシステムは液体またはゲル基材と固体基材とを含んでもよい。固体基材は、例えばタバコまたはタバコまたはニコチンを含むまたは含まない非タバコ製品であってもよい。１つの実施態様ではハイブリッドシステムは液体またはゲル基材とタバコとを含んでもよい。
【００９６】
ラッパーおよび束は、タバコ産業製品、例えば紙巻きタバコを参照して説明した。しかしながら、当然のことながらこれとは別に本発明のラッパーは、非タバコ産業関連製品または物品、例えば、食品、電子部品または他の消費財の束を包装するために使用してもよい。
【００９７】
種々の問題の対処と技術の発展のため、本開示全体は種々の実施形態を例示的に示しており、これらの実施形態では特許請求された発明が実践され、一群のタバコ産業製品用の優れたラッパーを提供することができる。本開示の利点および特徴は実施形態の単なる代表的な具体例であり、包括的でも排他的でもない。これらは特許請求された特徴の理解と教示の単なる補助に提供されている。当然だが、本開示の利点、実施形態、具体例、機能、特徴、構造、および／または他の側面は本開示を特許請求の範囲に規定されたとおりに限定するあるいは特許請求の範囲の均等物に限定すると考えるべきではなく、本開示の範囲および／または思想から乖離することなく他の実施形態を利用しても改変してもよいと考えるべきである。種々の実施形態は、開示された構成要素、成分、特徴、部品、工程、手段他の組合せを適切に備えても、これらで構成されても、基本的にこれらで構成されてもよい。また本開示は、現在は特許請求されていないが将来特許請求される可能性がある他の発明を含む。
【図１】
2020505281.tif 000003
【図２】
2020505281.tif 000004
【図３Ａ】
2020505281.tif 000005
【図３Ｂ】
2020505281.tif 000006
【図３Ｃ】
2020505281.tif 000007
【図３Ｄ】
2020505281.tif 000008
【図４】
2020505281.tif 000009
【図５】
2020505281.tif 000010
【図６】
2020505281.tif 000011
【図７】
2020505281.tif 000012
【図８】
2020505281.tif 000013
【図９】
2020505281.tif 000014
【図１０】
2020505281.tif 000015
【図１１】
2020505281.tif 000016
【国際調査報告】
2020505281.tif 000017
2020505281.tif 000018